(57)【要約】【課題】接続先と放送番組の記録及び／又は再生を同期させる。記録及び／又は再生する放送番組を接続先から指定可能にする。【解決手段】接続先と放送番組の記録及び／又は再生を同期させ、同期要求の送受によって、同一の放送番組の記録、再生に時間的な制約を受けることなく任意の時間に行える等、接続先と放送番組の同時再生を通話とともに行える。斯かる構成により、接続先と放送番組の記録及び／又は再生を同期させることができ、記録及び／又は再生をする放送番組を接続先から指定可能にすることができ、通信機能、放送受信機能及び放送番組の記録及び／又は再生の機能を備える機器の利便性を高める。【選択図】図１
2010206414.tif 000002
【特許請求の範囲】
【請求項１】
接続先と通信をする通信手段と、
前記接続先から記録及び／又は再生が指定され又は前記接続先に記録及び／又は再生を指定する放送番組の予約リストを登録する予約リスト登録手段と、
前記予約リストに登録された放送番組を記録する記録手段と、
前記記録手段に記録されている放送番組を再生する再生手段と、
前記接続先から受けた同期要求又は前記接続先に対する同期要求により、前記予約リスト登録手段にある放送番組を指定し、前記記録手段に対する前記放送番組の記録又は前記再生手段からの前記放送番組の再生を前記接続先と同期させる同期制御手段と、
を備えることを特徴とする同期記録再生装置。
【請求項２】
前記放送番組は、ＴＶ放送、音声放送、データ放送又はその他の放送であることを特徴とする請求項１記載の同期記録再生装置。
【請求項３】
接続先と通信をするステップと、
前記接続先から記録及び／又は再生が指定され又は前記接続先に記録及び／又は再生を指定する放送番組の予約リストを登録するステップと、
前記予約リストに登録された放送番組を記録し、又は記録している放送番組を再生するステップと、
前記接続先からの同期要求を受け、又は前記接続先に対する同期要求により前記予約リストにある放送番組を指定し、前記放送番組の記録又は再生を前記接続先と同期させるステップと、
を含むことを特徴とする同期記録再生方法。
【請求項４】
複数の通信装置を用いた同期記録再生システムであって、
接続先の通信装置から指定される放送番組を表す記録予約リストを登録する予約リスト登録手段と、
前記記録予約リストに登録された放送番組を記録する記録手段と、
接続先の通信装置から同期要求を受けることにより、前記予約リスト登録手段に記録されている放送番組が指定され、前記接続先と同期して前記放送番組を再生する同期制御手段とを各通信装置に備え、前記記録手段にある放送番組を通信中の通信装置と同期して再生することを特徴とする同期記録再生システム。
【請求項５】
通信機能と放送受信機能とを備える通信端末装置であって、
接続先と通信をする通信手段と、
前記接続先から記録及び／又は再生が指定され又は前記接続先に記録及び／又は再生を指定する放送番組の予約リストを登録する予約リスト登録手段と、
前記予約リストに登録された放送番組を記録する記録手段と、
前記記録手段に記録されている放送番組を再生する再生手段と、
前記接続先からの同期要求又は前記接続先に対する同期要求により、前記予約リスト登録手段にある放送番組を指定し、前記記録手段に対する前記放送番組の記録又は前記再生手段からの前記放送番組の再生を前記接続先と同期させる同期制御手段と、
を備えることを特徴とする通信端末装置。
【発明の詳細な説明】
【技術分野】
【０００１】
本発明は、ＴＶ（テレビジョン）放送等の放送受信機能及びその番組録画・再生機能を備える携帯端末装置等の通信端末装置間の記録・再生機能に関し、例えば、録画番組等の同期記録及び／又は同期再生を実現した同期記録再生装置、同期記録再生方法、同期記録再生システム及び通信端末装置に関する。
【背景技術】
【０００２】
通信装置として例えば、携帯端末装置には、ワンセグＴＶ放送の受信機能や、その録画機能を備えるものが知られている。このような携帯端末装置では、利用者の希望する時間に放送番組の記録予約をすることにより、記録された放送番組を適時に再生し、視聴することができる。
【０００３】
このような放送番組の記録・再生に関し、ビデオ装置では、ネットワークで相互に遠隔制御を可能にし、複数の装置間で同一の同期信号により画像を同期させることが知られている（特許文献１）。
【先行技術文献】
【特許文献】
【０００４】
【特許文献１】特開２００８−０４２５１６号公報
【発明の概要】
【発明が解決しようとする課題】
【０００５】
既述の携帯端末装置では、通話中の利用者が同じ放送番組を視聴しながら、番組内容を話題に取り上げるといった利用法が普及し、例えば、ワンセグＴＶ放送受信が可能な携帯端末装置では、その放送番組を視聴しながらの通話が可能である。
【０００６】
このような通話と放送受信とが同時に行えたとしても、放送番組と通話中の話題とが常にマッチングするとは限らないし、過去の放送番組や記録された放送番組についてもその放送番組を視聴しつつ通話することが要請される。
【０００７】
また、通信装置に放送番組の記録・再生機能を備えることにより、記録している放送番組を再生しても、通話先ではその放送番組を視聴することができず、また、同一の放送番組を記録していたとしても、再生タイミングを一致させたり、任意の時間に同一の放送番組の再生を同時に行うことができなかった。
【０００８】
このような課題は既述の特許文献１に開示も示唆もされておらず、その解決手段の提示はない。
【０００９】
そこで、本開示の同期記録再生装置、同期記録再生方法、同期記録再生システム又は通信端末装置の目的は、接続先と放送番組の記録及び／又は再生を同期させることにある。
【００１０】
また、本開示の同期記録再生装置、同期記録再生方法、同期記録再生システム又は通信端末装置の他の目的は、記録及び／又は再生をする放送番組を接続先から指定可能にすることにある。
【課題を解決するための手段】
【００１１】
上記目的を達成するため、本開示の同期記録再生装置、同期記録再生方法、同期記録再生システム又は通信端末装置は、接続先と放送番組の記録及び／又は再生を同期させ、同期要求の送受によって、同一の放送番組の記録、再生が時間的な制約を受けることなく任意の時間に行える等、接続先と放送番組の同時再生を通話とともに行える。斯かる構成により、接続先と放送番組の記録及び／又は再生を同期させることができ、記録及び／又は再生をする放送番組を接続先から指定可能にすることができ、通信機能、放送受信機能及び放送番組の記録及び／又は再生の機能を備える機器の利便性を高めることができる。
【００１２】
そこで、本開示の同期記録再生装置は、通信手段と、予約リスト登録手段と、記録手段と、再生手段と、同期制御手段とを備える。通信手段は、接続先と通信をする手段である。予約リスト登録手段では、前記接続先から記録及び／又は再生が指定され又は前記接続先に記録及び／又は再生を指定する放送番組の予約リストを登録する。記録手段は、前記予約リストに登録された放送番組を記録する手段である。再生手段は、前記記録手段に記録されている放送番組を再生する手段である。そして、同期制御手段では、前記接続先から受けた同期要求又は前記接続先に対する同期要求により、前記予約リスト登録手段にある放送番組を指定し、前記記録手段に対する前記放送番組の記録又は前記再生手段からの前記放送番組の再生を前記接続先と同期させる。
【００１３】
本開示の同期記録再生方法は、通信ステップと、予約リスト登録ステップと、記録又は再生ステップと、記録又は再生の同期化ステップとを含んでいる。通信ステップでは、接続先と通信をする。予約リスト登録ステップは、前記接続先から記録及び／又は再生が指定され又は前記接続先に記録及び／又は再生を指定する放送番組の予約リストを登録する。記録又は再生ステップは、前記予約リストに登録された放送番組を記録し、又は記録している放送番組を再生する。そして、記録又は再生の同期化ステップは、前記接続先からの同期要求を受け、又は前記接続先に対する同期要求により前記予約リストにある放送番組を指定し、前記放送番組の記録又は再生を前記接続先と同期させる。
【００１４】
本開示の同期記録再生システムは、複数の通信装置を用いた同期記録再生システムであって、予約リスト登録手段と、記録手段と、同期制御手段とを備える。予約リスト登録手段は、接続先の通信装置から指定される放送番組を表す記録予約リストを登録する手段である。記録手段は、前記記録予約リストに登録された放送番組を記録する手段である。そして、同期制御手段は、接続先の通信装置から同期要求を受けることにより、前記予約リスト登録手段に記録されている放送番組が指定され、前記接続先と同期して前記放送番組を再生する手段である。従って、前記記録手段にある放送番組を通信中の通信装置と同期して再生することができる。
【００１５】
また、本開示の通信端末装置は、通信機能と放送受信機能とを備える通信端末装置であって、通信手段と、予約リスト登録手段は、記録手段と、再生手段と、同期制御手段とを備える。通信手段は、接続先と通信をする手段である。予約リスト登録手段は、前記接続先から記録及び／又は再生が指定され又は前記接続先に記録及び／又は再生を指定する放送番組の予約リストを登録する。記録手段は、前記予約リストに登録された放送番組を記録する手段である。再生手段は、前記記録手段に記録されている放送番組を再生する手段である。そして、同期制御手段は、前記接続先からの同期要求又は前記接続先に対する同期要求により、前記予約リスト登録手段にある放送番組を指定し、前記記録手段に対する前記放送番組の記録又は前記再生手段からの前記放送番組の再生を前記接続先と同期させる。
【発明の効果】
【００１６】
本開示の同期記録再生装置、同期記録再生方法、同期記録再生システム又は通信端末装置によれば、次のような効果が得られる。
【００１７】
(1) 接続先と同一の放送番組の記録又は再生の同期化を図ることができ、時間的な制約を受けることなく、同一の放送番組を同時に記録し、又は再生することができる。
【００１８】
(2) 接続先と記録又は再生が同期化された放送番組を通信中に再生させることができ、通信及び放送番組の再生の利便性を高めることができる。
【００１９】
そして、本発明の他の目的、特徴及び利点は、添付図面及び各実施の形態を参照することにより、一層明確になるであろう。
【図面の簡単な説明】
【００２０】
【図１】第１の実施の形態に係る同期視聴システムの一例を示す図である。
【図２】録画予約リストの一例を示す図である。
【図３】携帯電話機の同期機能部の構成例を示す図である。
【図４】携帯電話機のハードウェア構成例を示す図である。
【図５】メモリの構成例を示す図である。
【図６】携帯電話機の外観構成例を示す図である。
【図７】録画予約リストの同期処理の処理手順を示すフローチャートである。
【図８】再生リストを表す図である。
【図９】ＳＥＴＵＰ信号、ＣＡＬＬ  ＣＯＮＮ信号の送受信を示すフローチャートである。
【図１０】ＳＥＴＵＰ信号を表す図である。
【図１１】ＣＡＬＬ  ＣＯＮＮ信号を表す図である。
【図１２】同時再生通話の処理手順を示すフローチャートである。
【図１３】第２の実施の形態に係る再生リストを表す図である。
【図１４】第２の実施の形態に係るＳＥＴＵＰ信号を表す図である。
【図１５】第３の実施の形態に係る録画予約リストの同期処理の処理手順を示すフローチャートである。
【図１６】第４の実施の形態に係る同時再生通話の処理手順を示すフローチャートである。
【図１７】他の実施の形態に係る同期視聴システムの一例を示す図である。
【図１８】他の実施の形態に係るＰＤＡを示す図である。
【図１９】他の実施の形態に係るＰＣを示す図である。
【発明を実施するための形態】
【００２１】
〔第１の実施の形態〕
【００２２】
第１の実施の形態について、図１及び図２を参照する。図１は、放送番組の同期視聴システムの一例を示す図、図２は、録画予約リストの一例を示す図である。図１及び図２に示す構成は一例であって、斯かる構成に本発明が限定されるものではない。
【００２３】
この同期視聴システム２は、同期記録再生装置、同期記録再生方法、同期記録再生システム及び通信端末装置の一例であって、通話機能、パケット通信機能等の通信機能、ワンセグＴＶ放送受信機能、放送番組記録機能を備える複数の携帯端末装置を用いることにより、放送番組の記録及び／又は再生を同期化し、通信中（又は非通信中）に放送番組の同期視聴を行うシステムである。この場合、携帯端末装置は、通話機能、パケット通信機能等の通信機能、ワンセグＴＶ放送受信機能、放送番組記録機能を備える電子機器の一例であって、この携帯端末装置には、携帯電話機、パーソナルコンピュータ、同様の機能を備えたゲーム機等も含まれる。
【００２４】
この同期視聴システム２では、図１に示すように、携帯電話機４Ａ、４Ｂが用いられ、各携帯電話機４Ａ、４Ｂに録画予約リスト６を登録し、登録されている録画予約リスト６の同期化が図られる。携帯電話機４Ａ、４Ｂは、既述の機能を備える電子機器であって、携帯端末装置の一例である。
【００２５】
録画予約リスト６は、放送番組の録画や再生を同期させるための予約リストの一例であって、各携帯電話機４Ａ、４Ｂに搭載された記憶手段（例えば、データ記憶部１４４：図５）に設置されるデータテーブルで構成され、図２に示すように、リスト番号６０２、開始時刻６０４、終了時刻６０６及び放送チャネル（ＣＨ）６０８等が設定されている。リスト番号６０２は、放送番組を特定し、それを識別するための識別情報である。開始時刻６０４は、特定の放送番組の開始時点を表す情報であり、終了時刻６０６は、その放送番組の終了時点を表す情報である。また、放送ＣＨ６０８は、その放送番組を放送するチャネル番号を表す放送識別情報である。
【００２６】
このように、携帯電話機４Ａ、４Ｂ間で同期要求により録画予約リスト６を同期化すれば、リスト番号６０２で特定される放送番組を携帯電話機４Ａ、４Ｂ間で同時に記録し、携帯電話機４Ａから携帯電話機４Ｂ又は携帯電話機４Ｂから携帯電話機４Ａに通信中に視聴通話の同期命令として同時視聴通話発信を行うことにより、携帯電話機４Ｂ及び携帯電話機４Ｂで放送番組の再生を同期して行い、即ち、同時再生を行うことができ、その放送番組を視聴しながら通話を行うことができる。
【００２７】
このような携帯電話機４Ａ、４Ｂについて、図３、図４、図５及び図６を参照する。図３は、携帯電話機の同期機能部の構成例を示す図、図４は、携帯電話機のハードウェア構成例を示す図。図５は、メモリの構成例を示す図、図６は、携帯電話機の外観構成例を示す図である。図３ないし図６に示す構成は一例であって、斯かる構成に本発明が限定されるものではない。
【００２８】
この携帯電話機４Ａ、４Ｂは、同期記録再生装置の一例であって、既述の通話機能、パケット通信機能等の通信機能、ワンセグＴＶ放送受信機能、放送番組記録機能を備えている。そこで、携帯電話機４Ａ、４Ｂは、同期記録及び／又は同期再生等を実行する機能部として、図３に示すように、同期機能部８を備えている。
【００２９】
この同期機能部８は、既述の録画予約リスト６の同期化、録画予約リスト６に基づく放送番組の記録又は再生、呼制御等を行う同期制御手段の一例であって、同期記録再生処理プログラムの実行により、ＣＰＵ１０及びメモリ１４によって実現される。この同期機能部８は、予約リスト同期部８０２と、パケット通信部８０４と、同時再生通話部８０６と、呼制御部８０８と、無線制御部８１０と、ＴＶ録画部８１２と、ＴＶ再生部８１４と、タイマー８１８とを備えている。録画予約リスト６は、放送番組の記録として録画を予約する記録予約情報の一例であって、この実施の形態では、記録する放送番組の記録リストであるとともに、再生する放送番組の再生リストを構成する。
【００３０】
予約リスト同期部８０２は、ＣＰＵ１０（図４）の制御に基づき、放送番組の記録を同期化する同期化手段の一例であって、録画予約リスト６を例えば、携帯電話機４Ａ、４Ｂ間で同期化するための手段である。
【００３１】
パケット通信部８０４は、ＣＰＵ１０の制御に基づき、録画予約リスト６及び／又は付随情報を通話先に発信する手段の一例であって、パケット通信によりパケット情報として録画予約リスト６や付随情報を送信指示に基づき通信先に発信する。
【００３２】
同時再生通話部８０６は、ＣＰＵ１０の制御に基づき、通話と放送番組の記録及び／又は再生を同時に行う手段であって、通話に関連させて同期要求の一例である同時視聴通話情報を発信し、通話と放送番組の再生を同時に行わせる。
【００３３】
呼制御部８０８は、ＣＰＵ１０の制御に基づき、通話のための呼制御を行う制御手段であって、呼制御は、基地局及び通話先（接続先）との呼を確立し、通話、メール送信、既述の同期要求の一例である同時視聴通話情報の送受信のため、接続を維持する。
【００３４】
無線制御部８１０は、ＣＰＵ１０の制御に基づき、無線部１６（図４）を制御する制御手段であって、メール送信、通話、同時視聴通話情報の送受信を含む無線制御を行う制御手段である。
【００３５】
ＴＶ録画部８１２は、ＣＰＵ１０の制御に基づき、放送番組を記録媒体（メディア）に記録する記録手段の一例である。ＴＶ再生部８１４は、ＣＰＵ１０の制御に基づき、ＴＶ録画部８１２で録画した既述の記録媒体から放送番組を再生する再生手段の一例である。この実施の形態では、記録対象の放送として、ワンセグＴＶ放送を例示しているが、記録すべき放送番組としては、ワンセグＴＶに限定されるものではない。
【００３６】
タイマー８１８は、実時間や設定時間の到来を監視する計時手段の一例であって、放送番組の放送時間や、録画予約時間、録画放送番組の再生時間等の計時に用いられる。
【００３７】
また、この携帯電話機４Ａ、４Ｂのハードウェア構成は、図４に示すように、ＣＰＵ（Central Processing Unit ）１０と、入力操作部１２と、メモリ１４と、無線部１６と、ＴＶチューナ１８と、表示部２０と、スピーカ２２とを備えている。
【００３８】
ＣＰＵ１０は、制御手段の一例であって、メモリ１４にあるＯＳ（Operating System）、同期記録再生処理プログラム等の各種プログラムを実行し、必要に応じて入力操作部１２からの入力情報等を受ける。
【００３９】
メモリ１４は、プログラムやデータ等を格納する記憶手段であって、図５に示すように、プログラム記憶部１４２、データ記憶部１４４、ＲＡＭ（Random-Access Memory）１４６を備える。プログラム記憶部１４２には、ＯＳや同期記録再生処理プログラム等が格納される。データ記憶部１４４は、提供される放送番組や録画予約リスト６等の各種情報を記録、再生又は読み出す録画データ記録部等を構成する記録媒体の一例であって、録画データを記録する録画データ記録部１４８を備える。即ち、データ記憶部１４４は、録画予約リスト６を登録する予約リスト登録手段の一例である。データ記憶部１４４は例えば、記録媒体で構成され、この記録媒体は、情報やデータを蓄えることができる媒体の総称であって、ハードディスク、光ディスク、メモリカード、フラッシュメモリ等の何れで構成されてもよい。
【００４０】
無線部１６は、アンテナ２４を備えて基地局等との電話、パケット通信等の無線通信を行う無線通信手段の一例であって、通話、メールの他、通話に付加される既述の同時視聴通話情報の送受信を行う手段である。
【００４１】
データ記憶部１４４に対する放送番組の提供手段として、この実施の形態では、ＴＶチューナ１８が設置されている。このＴＶチューナ１８は、放送受信用アンテナ２６を通して放送を受信する放送受信手段の一例である。その他、放送受信手段として、例えば、ラジオ放送用チューナ、データ放送受信部を用いてもよい。
【００４２】
既述のＴＶ再生部８１４の画像出力は表示部２０に加えられて画像として出力され、また、音声信号出力はスピーカ２２に加えられ、音声として出力される。スピーカ２２は、電気信号・音声変換手段の一例であって、レシーバやイヤホーンの何れであってもよいし、無線手段を介して外部設置のスピーカであってもよい。また、表示部２０は、画像や文字情報を視認可能に提示する情報提示手段の一例であって、例えば、ＬＣＤ（Liquid Crystal Display）表示器で構成すればよい。
【００４３】
これら携帯電話機４Ａ、４Ｂは、図６に示すように、固定側筐体として第１の筐体部２８と、可動側筐体として第２の筐体部３０とを備え、これら筐体部２８、３０がヒンジ部３２を介して開閉可能に構成されているとともに、可動部３４を介して左又は右に回動させることができる。筐体部２８には入力操作部１２、スピーカ２２、マイクロフォン３６が設置され、入力操作部１２にはカーソルキー３８、複数の文字等の入力キー４０が含まれ、この入力キー４０には発信又は着信応答に用いる発信・応答ボタン４０２が含まれる。スピーカ２２は、左スピーカ２２Ｌ、右スピーカ２２Ｒで構成され、左右チャネルのステレオ音声の再生が可能である。
【００４４】
筐体部３０には、表示部２０、レシーバ４２等が設置され、表示部２０にはＬＣＤの縦長の表示画面４４が備えられ、筐体部３０を可動部３４により左又は右に回転することにより、表示画面４４が図１に示すように、横長に配置される。
【００４５】
次に、録画予約リスト６の同期処理について、図７を参照する。図７は、録画予約リストの同期処理の処理手順を示すフローチャートである。図７に示す構成は一例であって、斯かる構成に本発明が限定されるものではない。
【００４６】
この録画予約リストの同期処理は、同期記録再生方法又は同期記録再生処理プログラムの一例であって、少なくとも２つの携帯電話機４Ａ、４Ｂで録画予約リスト６を同期させる処理である。ここで、録画予約リスト６を同期させる処理には、共通の録画予約リスト６を生成する処理の他、録画予約リスト６中に共通の録画リストを生成させる処理が含まれる。
【００４７】
この録画予約リスト６の同期処理において、携帯電話機４Ａから携帯電話機４Ｂに対して同期させる処理では、図７に示すように、携帯電話機４Ａにメニュー画面から予約リスト同期のモードを立ち上げ、携帯電話機４Ａ側で録画予約リスト６を選択し（ステップＳ１１）、同期先の携帯電話機４Ｂを選択する（ステップＳ１２）。即ち、同期先である接続先が選択され、この実施の形態では、携帯電話機４Ｂを特定する電話番号を選択し、携帯電話機４Ａが基地局を介して携帯電話機４Ｂと接続される。これにより、携帯電話機４Ａ、４Ｂ間で、通信が確立する。
【００４８】
この通信の確立の後、録画予約リスト６の同期処理を実行し（ステップＳ１３、Ｓ１４）、この同期処理により、通信中の携帯電話機４Ｂとの間で録画予約リスト６における録画の予約時間及び放送番組の同期化が図られる。この場合、携帯電話機４Ｂには録画予約リスト６が予め設定されていてもよいし、同期化を契機に録画予約リスト６を生成するようにしてもよい。
【００４９】
このように録画予約リスト６を同期させると、各携帯電話機４Ａ、４Ｂでは、録画予約リスト６に格納された録画予約時間のために計時が行われ、録画予約時間であるか否かが判定される（ステップＳ１５、Ｓ１６）。録画予約時間に先立ち、ＴＶ放送等が受信され、録画予約された放送番組の録画が行われる（ステップＳ１７、Ｓ１８）。
【００５０】
このような処理手順により、携帯電話機４Ａ、４Ｂのように、録画予約リスト６の同期処理により、複数の携帯端末装置の間で放送番組の同時再生を行うことができる。
【００５１】
次に、同時再生通話における再生リスト、ＳＥＴＵＰ信号及びＣＡＬＬ  ＣＯＮＮ信号について、図８、図９、図１０及び図１１を参照する。図８は、再生リストを表す図、図９は、ＳＥＴＵＰ信号、ＣＡＬＬ  ＣＯＮＮ信号の送受信を示すフローチャート、図１０は、ＳＥＴＵＰ信号を表す図、図１１は、ＣＡＬＬ  ＣＯＮＮ信号を表す図である。図８〜図１１に示す構成は一例であって、斯かる構成に本発明が限定されるものではない。
【００５２】
同時再生通話では、記録された放送番組の再生情報として、再生リスト（図８）が用いられる。そこで、同時再生通話を開始させる側の携帯端末装置として例えば、携帯電話機４Ａの表示部２０の表示画面４４には、図８に示すように、再生リスト表示画面４６が表示される。この再生リスト表示画面４６において、この実施の形態では、再生する放送番組を特定するための情報の一例として「再生リスト」、「番号」が表示され、同時視聴通話をする相手先情報の一例として「発信先」が表示されている。「再生リスト」は、録画予約リスト６から選択された録画済みの放送番組から選択される再生対象を表す。「番号」は、再生すべき放送番組を特定するための識別情報、「発信先」は、通信先の電話番号等の識別情報である。
【００５３】
この同時再生通話では、図９に示すように、同時視聴通話発信側からＳＥＴＵＰ信号４８が発せられ、同時視聴通話着信側からＣＡＬＬ  ＣＯＮＮ信号５０が発せられる。ＳＥＴＵＰ信号４８にはユーザが用いる任意のデータを設定可能なユーザデータ部が設定されており、このユーザデータ部に同時視聴通話を識別するための情報として、再生リスト番号が追加されている。また、ＣＡＬＬ  ＣＯＮＮ信号５０にはユーザが用いる任意のデータを設定可能なユーザデータ部が設定されており、このユーザデータ部に同時視聴通話を識別するための情報として、再生開始を表す情報が追加されている。この場合、ＳＥＴＵＰ信号４８を受けた同時視聴通話着信側からＣＡＬＬ  ＣＯＮＦ信号が発せられると、このＣＡＬＬ  ＣＯＮＦ信号に呼応し、同時視聴通話発信側から着信側に着信音を生成するためのＡＬＥＲＴ信号が発せられる。ＣＡＬＬ  ＣＯＮＦ信号は、ＳＥＴＵＰ信号に対応し、着信側で着信を許可する信号である。
【００５４】
また、ＳＥＴＵＰ信号４８は、同時再生の開始情報を含む信号であって、図１０に示すように、任意のデータが設定可能なユーザデータ部を備えており、このユーザデータ部に複数の識別情報が設定される。この実施の形態では、ＳＥＴＵＰ信号４８に着信電話番号４８２、発信電話番号４８４、ユーザ付加有識別情報４８６、同時視聴通話識別情報４８８、再生リスト番号４９０が含まれ、これらがＳＥＴＵＰ信号４８のユーザデータ部に登録されている。
【００５５】
着信電話番号４８２は、携帯電話機４Ａから発信されている場合、携帯電話機４Ｂの電話番号を表す識別情報であり、発信電話番号４８４は、携帯電話機４Ａの電話番号を表す識別情報である。ユーザ付加有識別情報４８６は、ユーザ付加情報の有無を表す情報であり、同時視聴通話識別情報４８８は、同期要求の一例であって、ユーザ付加情報である、通話と同時に放送番組を視聴することを表す通話識別情報である。再生リスト番号４９０は、再生する放送番組の識別情報である。
【００５６】
また、放送番組の再生開始又はその不可を表す応答情報である、ＣＡＬＬ  ＣＯＮＮ信号５０は、例えば、同時再生の開始が指令された携帯電話機４Ａに対し、携帯電話機４Ｂから発せられる応答信号であって、図１１に示すように、任意のデータが設定可能なユーザデータ部を備えており、このユーザデータ部に複数の識別情報が設定される。この実施の形態の場合では、ＣＡＬＬ  ＣＯＮＮ信号５０にユーザ付加有識別情報５０２、同時視聴通話識別情報５０４、再生開始／不可識別情報５０６が含まれ、これらがＣＡＬＬ  ＣＯＮＮ信号５０のユーザデータ部に登録されている。ユーザ付加有識別情報５０２は、ユーザ付加情報の有無を表す情報であって、ユーザ付加有識別情報４８６（図１０）と同一又は対応する。同時視聴通話識別情報５０４は、同期要求の一例であって、ユーザ付加情報である、通話と同時に放送番組を視聴することを表す通話識別情報であり、同時視聴通話識別情報４８８（図１０）と同一又は対応する。再生開始／不可識別情報５０６は、記録済みの放送番組の再生の開始又は不可を表す情報である。
【００５７】
次に、同時再生通話の処理手順について、図１２を参照する。図１２は、同時再生通話の処理手順を示すフローチャートである。図１２に示す構成は一例であって、斯かる構成に本発明が限定されるものではない。
【００５８】
この処理手順は、同期記録再生方法又は同期記録再生処理プログラムの一例であって、接続先（通話先）との通話とともに放送番組の同時再生を行う処理である。この実施の形態では、携帯電話機４Ａからの同時視聴通話発信に基づき、携帯電話機４Ｂ側が連動し、携帯電話機４Ａから指定された再生リスト番号の放送番組の再生が行われている。
【００５９】
そこで、この処理手順では、図１２に示すように、携帯電話機４Ａから同時再生通話を開始させる場合、携帯電話機４Ａでは再生するリスト番号を指定し（ステップＳ２１）、通話先を選択する（ステップＳ２２）。このとき、表示部２０の表示画面４４には、図８に示す再生リスト表示画面４６が表示される。利用者はこの再生リスト表示画面４６から再生リスト番号によって特定される放送番組や、接続先の確認をすることができる。
【００６０】
この再生リスト表示画面４６の表示状態から、発信・応答ボタン４０２（図６）を押下すれば、再生リスト表示画面４６に表示された接続先に対し、同時視聴通話発信が行われる（ステップＳ２３）。この発信に基づき、同時再生の準備処理が実行される。
【００６１】
即ち、携帯電話機４Ａから携帯電話機４Ｂに対し、ＳＥＴＵＰ信号４８（図１０）が送信される（ステップＳ２４）。このＳＥＴＵＰ信号４８は、図１０に示すように、電話番号、ユーザ付加有識別情報、同時視聴通話識別情報、再生リスト番号等が付加されている。このＳＥＴＵＰ信号４８を受けた携帯電話機４Ｂでは再生リスト番号の指定を受け、同時再生する放送番組の指定を受けるとともに、発信元を認識する。
【００６２】
携帯電話機４Ｂでは、受信したＳＥＴＵＰ信号４８に呼応し、ＳＥＴＵＰ信号４８を受信したことの認識を表すＣＡＬＬ  ＣＯＮＦ信号を携帯電話機４Ａに対して送信する（ステップＳ２５）。このＣＡＬＬ  ＣＯＮＦ信号を受信した携帯電話機４Ａから携帯電話機４Ｂに対し、ＣＡＬＬ  ＣＯＮＦ信号の受信に対応するＡＬＥＲＴ信号が発せられる（ステップＳ２６）。このＡＬＥＲＴ信号を受けた携帯電話機４Ｂから着信音が発せられる。
【００６３】
通話応答（再生開始）として、携帯電話機４Ｂの発信・応答ボタン４０２が押下される（ステップＳ２７）。この発信・応答ボタン４０２の押下により、携帯電話機４ＢからＣＡＬＬ  ＣＯＮＮ信号５０（図１１）が発せられる（ステップＳ２８）。このＣＡＬＬ  ＣＯＮＮ信号５０は、図１１に示すように、ユーザ付加有識別情報や同時視聴通話識別情報の他、再生開始／不可識別情報が含まれており、この実施の形態では、発信・応答ボタン４０２の押下により、再生開始が指示される。
【００６４】
ＣＡＬＬ  ＣＯＮＮ信号５０を受信した携帯電話機４Ａでは、通話応答があったか否かを判定し（ステップＳ２９）、その応答内容から再生開始か再生不可かを判断する。この判断は、ＣＡＬＬ  ＣＯＮＮ信号５０に含まれる制御情報（図１１）を参照して実行される。再生開始の場合には、記録している放送番組の再生を開始し（ステップＳ３０）、また、携帯電話機４Ｂ側は通話応答（再生開始）の発信（ステップＳ２７）に基づき、同様に、記録している放送番組の再生を開始する（ステップＳ３１）。即ち、通話中に、放送番組の同時再生が行われる。
【００６５】
このような放送番組の再生中に、携帯電話機４Ａ側で同時視聴通話を切断すると（ステップＳ３２）、携帯電話機４Ａから同時視聴通話の解除情報としてＣＬＥＡ信号が発せられる（ステップＳ３３）。携帯電話機４Ａでは、同時視聴通話の切断（ステップＳ３２）により、放送番組の再生が停止され（ステップＳ３４）、ＣＬＥＡ信号を受信した携帯電話機４Ｂにおいても、放送番組の再生が停止され（ステップＳ３５）、同時再生の処理が終了する。
【００６６】
この実施の形態では、携帯電話機４Ａから携帯電話機４Ｂに対して同時再生の指示、その解除として、同時視聴通話の切断が行われているが、携帯電話機４Ｂから携帯電話機４Ａに対して同時再生の指示、その解除として、同時視聴通話の切断を行う場合にも、同様の処理となる。
【００６７】
以上述べた第１の実施の形態において、その特徴事項を列挙する。
【００６８】
(1) 第１の実施の形態から明らかなように、ワンセグＴＶ録画機能を備えた携帯端末装置として例えば、携帯電話機４Ａ、４Ｂに予約リスト同期機能と同時再生通話機能を追加することにより、同期記録再生装置や同期記録再生システムを実現できる。
【００６９】
(2) 録画時、携帯電話機４Ａで、録画予約リスト６を作成（リスト番号、録画開始時刻、録画終了時刻、ＣＨ）した後に、同期先として携帯電話機４Ｂを選択することにより、携帯電話機４Ａと携帯電話機４Ｂの録画予約リスト６が同期される。
【００７０】
(3) 同期終了後、録画予約時刻になると、携帯電話機４Ａと携帯電話機４Ｂの双方で同じＴＶ番組が録画される。
【００７１】
(4) 同時再生通話時、携帯電話機４Ａで、録画予約リスト６中の録画済みのリスト番号を選択後、予約リスト同期を行っている通話先である携帯電話機４Ｂの電話番号を選択し、同時視聴通話発信を行う。
【００７２】
(5) 携帯電話機４Ｂでは、呼び出しが行われ、同時視聴通話の接続を許可する場合、通話開始ボタン即ち、発信・応答ボタン４０２を押下することにより、予約リストとして選択されたＴＶ番組の再生が行われる。
【００７３】
(6) 携帯電話機４Ａでも、携帯電話機４Ｂからの通話応答により、予約リストとして選択されたＴＶ番組の再生が行われる。
【００７４】
(7) このように、ワンセグＴＶ録画機能を備えた携帯電話機等の携帯端末装置に予約リスト同期機能と、同時再生通話機能とを備えることにより、複数の携帯端末装置間で、録画予約リストを同期し、同一のＴＶ番組等の放送番組を記録した後、同時視聴通話発信を行えば、時間的な制約を受けることなく、利用者が希望する任意の時間に発信時の発信付加情報として、同時に視聴したい放送番組を指定し、通話相手と同時に同一放送番組を視聴しながら、通話することができる。通話中に、同一放送番組の視聴を開始させてもよい。
【００７５】
〔第２の実施の形態〕
【００７６】
第２の実施の形態について、図１３及び図１４を参照する。図１３は、再生リストを表す図、図１４は、ＳＥＴＵＰ信号を表す図である。図１３及び図１４に示す構成は一例であって、斯かる構成に本発明が限定されるものではない。
【００７７】
第１の実施の形態では、携帯電話機４Ａから再生リスト番号を携帯電話機４Ｂに発信し、その再生リスト番号に対応する放送番組を記憶手段から読み出すことにより、同時視聴することを述べたが、本発明は、これに限定されるものではない。第２の実施の形態では、再生リスト番号に対応する放送番組中の特定のフレームを指定し、そのフレームに該当する記録番組を再生し、同時視聴する構成である。この実施の形態においても、第１の実施の形態と同様の同期視聴システム２（図１）、携帯電話機４Ａ、４Ｂ（図４、図６）及びメモリ１４（図５）の他、同様の処理手順（図７、図１２）等を用いるので、その詳細な説明は省略する。
【００７８】
そこで、この実施の形態では、図１３に示すように、再生リスト表示画面４６に再生する放送番組及びそのフレームを特定するための情報の一例として「再生リスト」、「番号」、「フレーム」が表示される。このフレームは、記録した放送番組の記録フレームを特定する情報であって、このフレームの指定により、放送番組の途中からの再生が可能である。その他の表示部分は第１の実施の形態（図８）と同様であるので、その説明を省略する。
【００７９】
この場合、フレーム情報を含むようにしたＳＥＴＵＰ信号４８では、図１４に示すように、フレーム情報とともに複数の識別情報が含まれる。この実施の形態の場合、ＳＥＴＵＰ信号４８には、着信電話番号４８２、発信電話番号４８４、ユーザ付加有識別情報４８６、同時視聴通話識別情報４８８、再生リスト番号４９０に加え、再生フレーム番号４９２が含まれている。この再生フレーム番号４９２は、記録した放送番組の記録フレームを特定する情報であって、このフレームの指定により、放送番組の途中からの再生が可能であることは既述の通りである。
【００８０】
斯かる構成によれば、記録した放送番組から特定の放送内容をフレーム番号により特定し、それを同時に再生し、通話中に同時視聴をすることができる。
【００８１】
〔第３の実施の形態〕
【００８２】
第３の実施の形態について、図１５を参照する。図１５は、録画予約リストの同期処理の処理手順を示すフローチャートである。図１５に示す構成は一例であって、斯かる構成に本発明が限定されるものではない。
【００８３】
この実施の形態は、第１の実施の形態の処理をより詳細にしたものであり、この処理手順は、同期記録再生方法又は同期記録再生処理プログラムの一例であって、録画予約リストの同期処理を含んでいる。
【００８４】
この処理手順は、図１５に示すように、携帯電話機４Ａ側から前回の予約リスト同期時間を携帯電話機４Ｂ側に問い合わせを行う（ステップＳ４１）。この問い合わせに対し、携帯電話機４Ｂから携帯電話機４Ａに対し、前回の予約リスト同期時間を応答し（ステップＳ４２）、この応答は、年、月、日及び時刻（時、分、秒）として例えば、２００８／１１／３  １２：００：００を通知する。
【００８５】
携帯電話機４Ａ側では、追加録画予約の確認を行い（ステップＳ４３）、追加録画の予約がなければ、この処理を終了し、追加録画の予約があれば、前回の予約リスト同期時間以後に追加した録画予約情報を携帯電話機４Ｂに通知する（ステップＳ４４）。この通知内容は、既述のリスト番号、放送番組の開始時刻、終了時刻及びＣＨである。
【００８６】
録画予約情報の通知を受けた携帯電話機４Ｂでは、追加録画の予約確認を行い（ステップＳ４５）、追加録画の予約があれば、前回の予約リスト同期時間以後に追加した録画予約情報をバッファに退避させる（ステップＳ４６）。この場合、バッファは携帯電話機４Ｂ側の録画データ記録部１４８（図５）に設定される。そして、通知された録画予約情報を追加し（ステップＳ４７）、通知されたリスト番号の追番（追加番号）を採番（番号の採取）し、既述のバッファに退避していた録画予約情報を記録する（ステップＳ４８）。この記録の後、前回の予約リスト同期時間以後に追加した録画予約情報を携帯電話機４Ａ側に通知する（ステップＳ４９）。この通知内容は、既述のリスト番号、放送番組の開始時刻、終了時刻及びＣＨと同様である。
【００８７】
なお、携帯電話機４Ｂ側の処理であるステップＳ４５において、追加録画予約が無い場合には、通知された録画予約情報を追加する（ステップＳ５０）。
【００８８】
携帯電話機４Ｂから追加した録画予約情報の通知を受けた携帯電話機４Ａでは、通知された録画予約情報を追加し（ステップＳ５１）、予約リスト同期時間を更新し（ステップＳ５２）、携帯電話機４Ａ側での予約リスト同期を終了する。
【００８９】
また、携帯電話機４Ｂ側では、携帯電話機４Ａ側に追加した録画予約情報を通知（ステップＳ４９）の後、又は通知された録画予約情報を追加（ステップＳ５０）の後、予約リスト同期時間を更新し（ステップＳ５３）、同様に、携帯電話機４Ｂ側での予約リスト同期を終了する。
【００９０】
このような同期処理を行えば、放送番組の記録及び／又は再生の各処理の精密な同期化を図ることができる。
【００９１】
〔第４の実施の形態〕
【００９２】
第４の実施の形態について、図１６を参照する。図１６は、同時再生通話の処理手順を示すフローチャートである。図１６に示す構成は一例であって、斯かる構成に本発明が限定されるものではない。
【００９３】
この実施の形態は、第１の実施の形態の処理をより詳細にした処理であって、再生フレーム番号（第２の実施の形態：図１３、図１４）を用いたフレーム毎の再生（フレーム再生）を可能にした処理を含んでいる。
【００９４】
この処理手順は、携帯電話機４Ａから発信されたＳＥＴＵＰ信号４８に呼応する携帯電話機４Ｂ側の同時再生通話の処理手順であって、図１６に示すように、携帯電話機４ＡからＳＥＴＵＰ信号を受信し（ステップＳ６１）、ＳＥＴＵＰ信号からユーザ付加有識別情報があるか否かを判定し（ステップＳ６２）、そのユーザ付加有識別情報があれば、同時視聴通話の識別情報があるか否かを判定する（ステップＳ６３）。同時視聴通話識別情報があれば、その情報から再生リスト番号、再生フレーム番号を録画再生開始バッファに記録する（ステップＳ６４）。録画再生開始バッファは、既述の録画データ記録部１４８に設定され、この録画再生開始バッファには、再生リスト番号、再生フレーム番号が格納される（ステップＳ６５）。
【００９５】
携帯電話機４ＢではＣＡＬＬ  ＣＯＮＦ信号の発信により、着信可能であることを携帯電話機４Ａ側に通知し（ステップＳ６６）、携帯電話機４ＡからＡＬＥＲＴ信号を受け（ステップＳ６７）、呼び出し鳴動（音又はバイブレータ）を起動する（ステップＳ６８）。この呼び出し音は、スピーカ２２から発せられ、バイブレータ振動は、着信情報により鳴動するバイブレータの起動である。
【００９６】
この鳴動後、発信・応答ボタン４０２を押下すれば（ステップＳ６９）、携帯電話機４ＢからＣＡＬＬ  ＣＯＮＮ信号の発信により、通話開始を携帯電話機４Ａに通知する（ステップＳ７０）。そして、無線部１６の音声チャネルと、マイクロフォン３６（図６）、スピーカ２２及びレシーバ４２（図６）を接続し、通話可能に設定する（ステップＳ７１）。
【００９７】
このように通話条件を確立した後、録画開始再生バッファに記録した再生リスト番号、再生フレーム番号で録画再生を開始する（ステップＳ７２）。
【００９８】
そして、携帯電話機４Ｂ側のＴＶ再生部８１４では、再生リスト番号、再生フレーム番号の通知を受け、再生リスト番号のファイルの読み込みを行い（ステップＳ７３）、指定されている再生フレーム番号から再生を開始し（ステップＳ７４）、この再生の終了時刻又は同時視聴通話の切断まで再生を持続させる。これにより、通話開始から通話終了に至る、通話中に、放送番組の同時視聴が行われる。
【００９９】
〔他の実施の形態〕
【０１００】
(1) 上記実施の形態では、録画、録音及びこれらの再生を行う同期視聴システム２を例示したが、画像やデータのみの記録及び／又は再生を同期化し、又は、音声のみに対応する録音及び／又は再生を同期化する構成であってもよく、本発明は上記実施の形態に限定されるものではない。
【０１０１】
(2) 上記実施の形態では、放送番組の記録、その再生の同期化について２つの携帯電話機４Ａ、４Ｂを例示したが、３以上の携帯電話機間での放送番組の記録、その再生の同期化を行ってもよい。
【０１０２】
(3) 記録又は再生する放送番組として、ワンセグＴＶ放送の番組を例示したが、他のＴＶ放送、音声放送、データ放送又はその他の放送であってもよい。
【０１０３】
(4) 同時再生通話機能の携帯電話機間の通信路について、複数の通信路を用いてもよい。図１７は、他の同時視聴システムを例示し、この同時視聴システム２００では、通信路としてＴＶ再生制御通信路５２、音声・データ通信路５４を用いている。ＴＶ再生制御通信路５２は、ＴＶ再生制御用の通信路又は通信回線であり、音声・データ通信路５４は、音声及び／又はデータの通信路又は通信回線である。このような複数の通信路を用いれば、各通信路毎に通信を行え、通信速度を高めることができる。
【０１０４】
(5) 上記実施の形態では、放送受信機能、その録画再生機能、通信機能を備える携帯端末装置として、携帯電話機４Ａ、４Ｂを例示したが、放送受信機能、その録画再生機能、通信機能を備える携帯情報端末機（ＰＤＡ：Personal Digital Assistant）（図１８）を用いてもよい。図１８は、ＰＤＡの一例を示している。このＰＤＡ５６は、既述の携帯電話機４Ａ、４Ｂと同様に放送受信機能、その録画再生機能、通信機能を備えるとともに、本体部５８に入力操作部１２や表示部２０を備えている。携帯電話機４Ａ、４Ｂと同一部分には同一符号を付し、その説明を省略する。斯かる構成とすれば、ＰＤＡ５６によっても、放送番組の同期化録画や再生の同期化により、通話しながら、同一の放送番組の再生、その視聴を行うことができる。
【０１０５】
(6) 上記実施の形態では、放送受信機能、その録画再生機能、通信機能を備える携帯端末装置として、携帯電話機４Ａ、４Ｂを例示したが、放送受信機能、その録画再生機能、通信機能を備えるパーソナルコンピュータ（ＰＣ）を用いてもよい。図１９は、ＰＣの一例を示している。このＰＣ５８は、既述の携帯電話機４Ａ、４Ｂと同様に放送受信機能、その録画再生機能、通信機能を備える。
【０１０６】
このＰＣ５８では、第１の筐体として固定側筐体６０と、第２の筐体として可動側筐体６２とをヒンジ部６４によって連結し、開閉可能に設定されている。固定側筐体６０には、入力操作部１２やスピーカ２２Ｌ、２２Ｒが設置され、可動側筐体６２には表示部２０やマイクロフォン３６を備えている。既述の携帯電話機４Ａ、４Ｂと同一部分には同一符号を付し、その説明を省略する。
【０１０７】
斯かる構成とすれば、ＰＣ５８によっても、放送番組の同期化録画や再生の同期化により、通話しながら、同一の放送番組の再生、その視聴を行うことができる。
【０１０８】
(7) 上記実施の形態では、放送受信機能、その録画再生機能、通信機能を備える同期記録再生装置、同期記録再生方法、同期記録再生システム又は通信端末装置として携帯電話機を用いたシステム、携帯電話機等を例示したが、本発明は、斯かる機能を備えた電子機器であれば、どのように構成されてもよく、電子ゲーム機等の電子機器であってもよい。
【０１０９】
(8) 上記実施の形態では、通信機能や通話機能として電話通信を例示したが、この通信には公衆回線を用いた電話通信だけでなく、近距離無線通信等の通信を用いてもよい。
【０１１０】
(9) 上記実施の形態では、放送番組の同時再生、同期再生について、再生の開始、終了を同期させることを例示したが、各放送番組の再生を共通の同期信号を用いることにより、同期させる構成としてもよい。
【０１１１】
次に、以上述べた実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１１２】
（付記１）  接続先と通信をする通信手段と、
前記接続先から記録及び／又は再生が指定され又は前記接続先に記録及び／又は再生を指定する放送番組の予約リストを登録する予約リスト登録手段と、
前記予約リストに登録された放送番組を記録する記録手段と、
前記記録手段に記録されている放送番組を再生する再生手段と、
前記接続先から受けた同期要求又は前記接続先に対する同期要求により、前記予約リスト登録手段にある放送番組を指定し、前記記録手段に対する前記放送番組の記録又は前記再生手段からの前記放送番組の再生を前記接続先と同期させる同期制御手段と、
を備えることを特徴とする同期記録再生装置。
【０１１３】
（付記２）  前記放送番組は、ＴＶ放送、音声放送、データ放送又はその他の放送であることを特徴とする付記１記載の同期記録再生装置。
【０１１４】
（付記３）  前記再生手段又は前記同期制御手段は、前記接続先との通信の確立に基づき、記録している前記放送番組の再生を開始させることを特徴とする付記１記載の同期記録再生装置。
【０１１５】
（付記４）  前記再生手段又は前記同期制御手段は、前記接続先との通信切断により、前記放送番組の再生を停止させることを特徴とする付記１記載の同期記録再生装置。
【０１１６】
（付記５）  接続先と通信をするステップと、
前記接続先から記録及び／又は再生が指定され又は前記接続先に記録及び／又は再生を指定する放送番組の予約リストを登録するステップと、
前記予約リストに登録された放送番組を記録し、又は記録している放送番組を再生するステップと、
前記接続先からの同期要求を受け、又は前記接続先に対する同期要求により前記予約リストにある放送番組を指定し、前記放送番組の記録又は再生を前記接続先と同期させるステップと、
を含むことを特徴とする同期記録再生方法。
【０１１７】
（付記６）  複数の通信装置を用いた同期記録再生システムであって、
接続先の通信装置から指定される放送番組を表す記録予約リストを登録する予約リスト登録手段と、
前記記録予約リストに登録された放送番組を記録する記録手段と、
接続先の通信装置から同期要求を受けることにより、前記予約リスト登録手段に記録されている放送番組が指定され、前記接続先と同期して前記放送番組を再生する同期制御手段とを各通信装置に備え、前記記録手段にある放送番組を通信中の通信装置と同期して再生することを特徴とする同期記録再生システム。
【０１１８】
（付記７）  通信機能と放送受信機能とを備える通信端末装置であって、
接続先と通信をする通信手段と、
前記接続先から記録及び／又は再生が指定され又は前記接続先に記録及び／又は再生を指定する放送番組の予約リストを登録する予約リスト登録手段と、
前記予約リストに登録された放送番組を記録する記録手段と、
前記記録手段に記録されている放送番組を再生する再生手段と、
前記接続先からの同期要求又は前記接続先に対する同期要求により、前記予約リスト登録手段にある放送番組を指定し、前記記録手段に対する前記放送番組の記録又は前記再生手段からの前記放送番組の再生を前記接続先と同期させる同期制御手段と、
を備えることを特徴とする通信端末装置。
【０１１９】
以上説明したように、同期記録再生装置、同期記録再生方法、同期記録再生システム又は通信端末装置の好ましい実施の形態等について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１２０】
本開示の同期記録再生装置、同期記録再生方法、同期記録再生システム又は通信端末装置は、ＴＶ放送等の放送受信機能、その記録、再生機能、電話等の通信機能を備えた電子機器に広く適用でき、記録及び／又は再生の同期化により、通話中に同一の放送番組を同期させて再生し、同時に視聴することができ、有用である。
【符号の説明】
【０１２１】
２  同期視聴システム
４Ａ、４Ｂ  携帯電話機
６  録画予約リスト
６０２  リスト番号
６０４  開始時刻
６０６  終了時刻
６０８  放送チャネル（ＣＨ）
８  同期機能部
８０２  予約リスト同期部
８０４  パケット通信部
８０６  同時再生通話部
８０８  呼制御部
８１０  無線制御部
８１２  ＴＶ録画部
８１４  ＴＶ再生部
８１８  タイマー
１０  ＣＰＵ
１２  入力操作部
１４  メモリ
１４２  プログラム記憶部
１４４  データ記憶部
１４６  ＲＡＭ
１４８  録画データ記録部
１８  ＴＶチューナ
２０  表示部
２２、２２Ｌ、２２Ｒ  スピーカ
２４  アンテナ
２６  放送受信用アンテナ
２８  第１の筐体部
３０  第２の筐体部
３２  ヒンジ部
３４  可動部
３６  マイクロフォン
３８  カーソルキー
４０  入力キー
４０２  発信・応答ボタン
【図１】
2010206414.tif 000003
【図２】
2010206414.tif 000004
【図３】
2010206414.tif 000005
【図４】
2010206414.tif 000006
【図５】
2010206414.tif 000007
【図６】
2010206414.tif 000008
【図７】
2010206414.tif 000009
【図８】
2010206414.tif 000010
【図９】
2010206414.tif 000011
【図１０】
2010206414.tif 000012
【図１１】
2010206414.tif 000013
【図１２】
2010206414.tif 000014
【図１３】
2010206414.tif 000015
【図１４】
2010206414.tif 000016
【図１５】
2010206414.tif 000017
【図１６】
2010206414.tif 000018
【図１７】
2010206414.tif 000019
【図１８】
2010206414.tif 000020
【図１９】
2010206414.tif 000021